【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
装着された記録媒体に動画ファイルを記録すると共に一つの前記動画ファイル毎に前記動画ファイルを再生するための一つの管理ファイルを前記記録媒体に記録し、前記記録媒体から前記動画ファイルと前記管理ファイルを再生する記録再生手段と、
前記記録媒体に記録された複数の管理ファイルの情報を一つのファイルとしてまとめた結合管理ファイルが前記記録媒体に記録されていない場合に、前記記録再生手段により前記記録媒体から再生された複数の前記管理ファイルの情報を一つのファイルとしてまとめた結合管理ファイルを生成する生成手段と、
メモリと、
前記生成手段により生成された結合管理ファイルを前記記録媒体に記録するように前記記録再生手段を制御する制御手段とを備え、
前記制御手段は、前記記録媒体に前記結合管理ファイルが記録されていた場合に、前記記録再生手段により前記記録媒体から再生されて前記メモリに記憶された結合管理ファイルを用いて前記記録再生手段による動画ファイルの再生を制御することを特徴とする記録再生装置。
【請求項２】
前記制御手段は、前記記録媒体に前記結合管理ファイルが記録されていない場合に、前記記録再生手段により前記記録媒体から再生されて前記メモリに記憶された複数の前記管理ファイルを用いて前記記録再生手段による動画ファイルの再生を制御することを特徴とする請求項１に記載の記録再生装置。
【請求項３】
前記記録媒体に前記結合管理ファイルが記録されていた場合に、前記制御手段は、前記記録再生手段により前記記録媒体に対して新たに動画ファイルと管理ファイルとを記録すると、前記新たに記録された管理ファイルの情報を前記メモリに記憶された結合管理ファイルに追加し、前記新たに記録された管理ファイルの情報が追加された結合管理ファイルを前記記録媒体に記録するように前記記録再生手段を制御することを特徴とする請求項１または２に記載の記録再生装置。
【請求項４】
前記制御手段は、電源オフの指示、または前記記録媒体の取り出しの指示に応じて前記結合管理ファイルを前記記録媒体に記録するように前記記録再生手段を制御することを特徴とする請求項１から３の何れか１項に記載の記録再生装置。
【請求項５】
記録再生手段により、装着された記録媒体に動画ファイルを記録すると共に一つの前記動画ファイル毎に前記動画ファイルを再生するための一つの管理ファイルを前記記録媒体に記録し、前記記録媒体から前記動画ファイルと前記管理ファイルを再生する記録再生工程と、
前記記録媒体に記録された複数の管理ファイルの情報を一つのファイルとしてまとめた結合管理ファイルが前記記録媒体に記録されていない場合に、前記記録再生手段により前記記録媒体から再生された複数の前記管理ファイルの情報を一つのファイルとしてまとめた結合管理ファイルを生成する生成工程と、
前記生成工程により生成された結合管理ファイルを前記記録媒体に記録するように前記記録再生手段を制御する工程と、
前記記録媒体に前記結合管理ファイルが記録されていた場合に、前記記録再生手段により前記記録媒体から再生されて前記メモリに記憶された結合管理ファイルを用いて前記記録再生手段による動画ファイルの再生を制御する工程とを有することを特徴とする記録再生方法。
【請求項６】
記録再生手段により、装着された記録媒体に動画ファイルを記録すると共に一つの前記動画ファイル毎に前記動画ファイルを再生するための一つの管理ファイルを前記記録媒体に記録し、前記記録媒体から前記動画ファイルと前記管理ファイルを再生する記録再生工程と、
前記記録媒体に記録された複数の管理ファイルの情報を一つのファイルとしてまとめた結合管理ファイルが前記記録媒体に記録されていない場合に、前記記録再生手段により前記記録媒体から再生された複数の前記管理ファイルの情報を一つのファイルとしてまとめた結合管理ファイルを生成する生成工程と、
前記生成工程により生成された結合管理ファイルを前記記録媒体に記録するように前記記録再生手段を制御する工程と、
前記記録媒体に前記結合管理ファイルが記録されていた場合に、前記記録再生手段により前記記録媒体から再生されて前記メモリに記憶された結合管理ファイルを用いて前記記録再生手段による動画ファイルの再生を制御する工程とをコンピュータに実行させるためのプログラムを記録したコンピュータ読み取り可能な記録媒体。
【手続補正２】
【補正対象書類名】明細書
【補正対象項目名】００１０
【補正方法】変更
【補正の内容】
【００１０】
本発明の記録再生装置は、装着された記録媒体に動画ファイルを記録すると共に一つの前記動画ファイル毎に前記動画ファイルを再生するための一つの管理ファイルを前記記録媒体に記録し、前記記録媒体から前記動画ファイルと前記管理ファイルを再生する記録再生手段と、前記記録媒体に記録された複数の管理ファイルの情報を一つのファイルとしてまとめた結合管理ファイルが前記記録媒体に記録されていない場合に、前記記録再生手段により前記記録媒体から再生された複数の前記管理ファイルの情報を一つのファイルとしてまとめた結合管理ファイルを生成する生成手段と、メモリと、前記生成手段により生成された結合管理ファイルを前記記録媒体に記録するように前記記録再生手段を制御する制御手段とを備え、前記制御手段は、前記記録媒体に前記結合管理ファイルが記録されていた場合に、前記記録再生手段により前記記録媒体から再生されて前記メモリに記憶された結合管理ファイルを用いて前記記録再生手段による動画ファイルの再生を制御することを特徴とする。
【手続補正３】
【補正対象書類名】明細書
【補正対象項目名】００１１
【補正方法】変更
【補正の内容】
【００１１】
本発明の記録再生方法は、記録再生手段により、装着された記録媒体に動画ファイルを記録すると共に一つの前記動画ファイル毎に前記動画ファイルを再生するための一つの管理ファイルを前記記録媒体に記録し、前記記録媒体から前記動画ファイルと前記管理ファイルを再生する記録再生工程と、前記記録媒体に記録された複数の管理ファイルの情報を一つのファイルとしてまとめた結合管理ファイルが前記記録媒体に記録されていない場合に、前記記録再生手段により前記記録媒体から再生された複数の前記管理ファイルの情報を一つのファイルとしてまとめた結合管理ファイルを生成する生成工程と、前記生成工程により生成された結合管理ファイルを前記記録媒体に記録するように前記記録再生手段を制御する工程と、前記記録媒体に前記結合管理ファイルが記録されていた場合に、前記記録再生手段により前記記録媒体から再生されて前記メモリに記憶された結合管理ファイルを用いて前記記録再生手段による動画ファイルの再生を制御する工程とを有することを特徴とする。
【手続補正４】
【補正対象書類名】明細書
【補正対象項目名】００１２
【補正方法】変更
【補正の内容】
【００１２】
本発明の記録媒体は、記録再生手段により、装着された記録媒体に動画ファイルを記録すると共に一つの前記動画ファイル毎に前記動画ファイルを再生するための一つの管理ファイルを前記記録媒体に記録し、前記記録媒体から前記動画ファイルと前記管理ファイルを再生する記録再生工程と、前記記録媒体に記録された複数の管理ファイルの情報を一つのファイルとしてまとめた結合管理ファイルが前記記録媒体に記録されていない場合に、前記記録再生手段により前記記録媒体から再生された複数の前記管理ファイルの情報を一つのファイルとしてまとめた結合管理ファイルを生成する生成工程と、前記生成工程により生成された結合管理ファイルを前記記録媒体に記録するように前記記録再生手段を制御する工程と、前記記録媒体に前記結合管理ファイルが記録されていた場合に、前記記録再生手段により前記記録媒体から再生されて前記メモリに記憶された結合管理ファイルを用いて前記記録再生手段による動画ファイルの再生を制御する工程とをコンピュータに実行させるためのプログラムを記録したことを特徴とする。